(57)【要約】      （修正有）【課題】カスタム性を向上することができるドアハンドルを提供する。【解決手段】ドアハンドルは、第１の巻線部と第２の巻線部とを備えた第１のワイヤホルダ２１０と、第１の巻線部に巻き付けられた第１のワイヤと、第２の巻線部に巻き付けられた第２のワイヤとを有し、第１の巻線部と前記第２の巻線部とが並ぶ方向から見たときに、第１のワイヤと第２のワイヤとが重なり合う。【選択図】図５
2020100983.tif 000002
【特許請求の範囲】
【請求項１】
第１の巻線部と第２の巻線部とを備えた第１のワイヤホルダと、
前記第１の巻線部に巻き付けられた第１のワイヤと、
前記第２の巻線部に巻き付けられた第２のワイヤと、
を有することを特徴とするドアハンドル。
【請求項２】
前記第１の巻線部と前記第２の巻線部とが並ぶ方向から見たときに、前記第１のワイヤと前記第２のワイヤとが重なり合うことを特徴とする請求項１に記載のドアハンドル。
【請求項３】
前記第１のワイヤが前記第１の巻線部に複数回巻かれ、
前記第２のワイヤが前記第２の巻線部に複数回巻かれていることを特徴とする請求項１又は２に記載のドアハンドル。
【請求項４】
前記第１のワイヤホルダは、前記第１の巻線部と前記第２の巻線部とを分離する平板部を有することを特徴とする請求項１乃至３のいずれか１項に記載のドアハンドル。
【請求項５】
前記第１のワイヤに接地電位を付与し、前記第２のワイヤの静電容量に基づいてドアを開錠する制御部を有することを特徴とする請求項１乃至４のいずれか１項に記載のドアハンドル。
【請求項６】
前記第１のワイヤ及び前記第２のワイヤの各々に電圧を印加し、前記第１のワイヤにより検出される静電容量と前記第２のワイヤにより検出される静電容量との差に基づいてドアを開錠する制御部を有することを特徴とする請求項１乃至４のいずれか１項に記載のドアハンドル。
【請求項７】
第３の巻線部を備えた第２のワイヤホルダと、
前記第３の巻線部に巻き付けられた第３のワイヤと、
を有し、
前記制御部は、前記第３のワイヤの静電容量に基づいてドアを施錠することを特徴とする請求項５に記載のドアハンドル。
【請求項８】
第３の巻線部を備えた第２のワイヤホルダと、
前記第３の巻線部に巻き付けられた第３のワイヤと、
前記第２のワイヤホルダと前記制御部との間で、前記第３のワイヤと平行に延びる第４のワイヤと、
を有し、
前記制御部は、前記第３のワイヤ及び前記第４のワイヤの各々に電圧を印加し、前記第３のワイヤにより検出される静電容量と前記第４のワイヤにより検出される静電容量との差に基づいてドアを施錠することを特徴とする請求項６に記載のドアハンドル。
【請求項９】
前記第３のワイヤが前記第３の巻線部に複数回巻かれていることを特徴とする請求項７又は８に記載のドアハンドル。
【請求項１０】
前記第２のワイヤホルダを複数有し、
前記第３のワイヤは、複数の前記第２のワイヤホルダの各第３の巻線部に巻き付けられていることを特徴とする請求項７乃至９のいずれか１項に記載のドアハンドル。
【発明の詳細な説明】
【技術分野】
【０００１】
本発明は、ドアハンドルに関する。
【背景技術】
【０００２】
自動車等のドアには、ドアを開閉するためのドアハンドルが設けられており、近年は、ドアハンドルに手を近づけてタッチ操作やジェスチャ操作をすることにより、ドアの開閉のロック又はロックの解除を行うことのできるものも登場している。このようなドアハンドルには、手の操作を検知するための静電センサ等が設けられており、静電センサは、ケースに入れられた状態で、ドアハンドルの内部に設置されている。
【先行技術文献】
【特許文献】
【０００３】
【特許文献１】特開２００４−１７６３４３号公報
【特許文献２】特開２００６−９７２３０号公報
【特許文献３】特開２００８−８３０２５号公報
【発明の概要】
【発明が解決しようとする課題】
【０００４】
ドアハンドルのケースの形状は自動車の形式に応じて相違している。このため、ケースの内側に入れられる静電センサの構成も自動車の形式毎に相違している。例えば、静電センサに含まれるプリント基板の形状や、配線のレイアウトは自動車の形式に依存している。
【０００５】
本発明は、カスタム性を向上することができるドアハンドルを提供することを目的とする。
【課題を解決するための手段】
【０００６】
本開示によれば、第１の巻線部と第２の巻線部とを備えた第１のワイヤホルダと、前記第１の巻線部に巻き付けられた第１のワイヤと、前記第２の巻線部に巻き付けられた第２のワイヤと、を有するドアハンドルが提供される。
【発明の効果】
【０００７】
本開示によれば、カスタム性を向上することができる。
【図面の簡単な説明】
【０００８】
【図１】第１の実施形態に係るドアハンドルが取り付けられたドアを示す模式図である。
【図２】第１の実施形態に係るドアハンドルを示す斜視図である。
【図３】第１の実施形態に係るドアハンドルを示す上面図である。
【図４】第１の実施形態に係るドアハンドルを示す分解斜視図（その１）である。
【図５】第１の実施形態に係るドアハンドルを示す分解斜視図（その２）である。
【図６】アンロック用静電センサに含まれるワイヤホルダを示す斜視図である。
【図７】アンロック用静電センサに含まれるワイヤホルダを示す上面図である。
【図８】アンロック用静電センサに含まれるアンロック用導線を示す斜視図である。
【図９】アンロック用静電センサに含まれるアンロック用導線を示す上面図である。
【図１０】アンロック用静電センサを示す断面図（その１）である。
【図１１】アンロック用静電センサを示す断面図（その２）である。
【図１２】ロック用静電センサに含まれるワイヤホルダを示す斜視図である。
【図１３】ロック用静電センサに含まれるロック用導線を示す斜視図である。
【図１４】ロック用静電センサを示す断面図である。
【図１５】第２の実施形態におけるアンロック用静電センサでの静電容量の変化を示す図である。
【図１６】第２の実施形態におけるロック用静電センサでの静電容量の変化を示す図である。
【発明を実施するための形態】
【０００９】
以下、本開示の実施形態について添付の図面を参照しながら具体的に説明する。なお、本明細書及び図面において、実質的に同一の機能構成を有する構成要素については、同一の符号を付することにより重複した説明を省くことがある。また、本開示においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
（第１の実施形態）
まず、第１の実施形態について説明する。図１は、第１の実施形態に係るドアハンドル１００が取り付けられた自動車等の車両のドアを示す模式図である。図２は、ドアハンドル１００を示す斜視図であり、図３は、ドアハンドル１００を示す上面図であり、図４及び図５は、ドアハンドル１００を示す分解斜視図である。
【００１１】
図１に示すように、本実施形態に係るドアハンドル１００は、自動車等のドア１０に取り付けられて用いられる。
【００１２】
ドアハンドル１００の筐体部分となるドアハンドルケースは、アウターケース１１０及びインナーケース１２０を含み、アウターケース１１０及びインナーケース１２０に覆われたケースの内部に、アンロック用静電センサ２００、ロック用静電センサ３００、制御ユニット１５０等が設けられている。
【００１３】
ドアハンドル１００は、ドア１０と対向する側である内側のＺ２側がインナーケース１２０側、ドア１０と対向する側とは反対側である外側のＺ１側がアウターケース１１０側となるように取り付けられている。ドアハンドル１００においてロックを解除する際には、一般的に、ドアハンドル１００の内側に手を入れ、ドアハンドル１００の内側の面１２５に手を接触させる操作が行われる。従って、ドアのロックを解除する際には、ドアハンドル１００に対し、手をＺ２側よりＺ１側に向かって動かし、ドアハンドル１００の内側の面１２５となるＺ２側の面に手を接触させる。なお、ドアハンドル１００の内側の面１２５は、人の手により握りやすいように、長手方向（Ｘ１−Ｘ２方向）の中央部分がＺ１側に凹んでいる。本開示においては、ドアハンドル１００において、ドアハンドル１００の内側の面１２５を検知面と記載する場合がある。
【００１４】
図４に示すように、インナーケース１２０は、アンロック用静電センサ２００を収納する収納部１２１と、ロック用静電センサ３００を支持する支持部１２２Ａ及び１２２Ｂと、を有する。また、図５に示すように、アンロック用静電センサ２００及びロック用静電センサ３００は制御ユニット１５０に接続される。そして、収納部１２１にアンロック用静電センサ２００が収納され、ロック用静電センサ３００が支持部１２２Ａ及び１２２Ｂに支持され、アウターケース１１０がアンロック用静電センサ２００及びロック用静電センサ３００を覆っている。
【００１５】
（アンロック用静電センサ２００）
ここで、アンロック用静電センサ２００について説明する。図６は、アンロック用静電センサ２００に含まれるワイヤホルダを示す斜視図である。図７は、アンロック用静電センサ２００に含まれるワイヤホルダを示す上面図である。図８は、アンロック用静電センサ２００に含まれるアンロック用導線２５０を示す斜視図である。図９は、アンロック用静電センサ２００に含まれるアンロック用導線２５０を示す上面図である。図１０及び図１１は、アンロック用静電センサ２００を示す断面図である。図１０は、図５中のＩ−Ｉ線に沿った断面図に相当し、図１１は、図５中のＩＩ−ＩＩ線に沿った断面図に相当する。
【００１６】
アンロック用静電センサ２００は、図５〜図７、図１０及び図１１に示すように、ワイヤホルダ２１０を含む。ワイヤホルダ２１０は、平面形状が、角が面取りされた略長方形の平板部２２１、２２２及び２２３を有する。平板部２２１、２２２及び２２３は、Ｚ１−Ｚ２方向で互いに重なり合っており、平板部２２１が平板部２２２のＺ１方向側に位置し、平板部２２３が平板部２２２のＺ２方向側に位置している。平板部２２１と平板部２２２との間に巻線部２１１が設けられ、平板部２２２と平板部２２３との間に巻線部２１２が設けられている。巻線部２１１及び２１２は、Ｚ１−Ｚ２方向で互いに重なり合っている。Ｘ１−Ｘ２方向及びＹ１−Ｙ２方向において、平板部２２１、２２２及び２２３は庇のように巻線部２１１及び２１２から外方に迫り出している。ワイヤホルダ２１０は第１のワイヤホルダの一例である。
【００１７】
平板部２２１には、Ｘ１側の端部からＸ２側に延びる切り欠き２３１と、Ｙ１側の端部からＹ２側に延びる切り欠き２３２とが形成され、切り欠き２３１と切り欠き２３２とが繋がっている。また、切り欠き２３１の切り欠き２３２との連結部には、固定部２４１が設けられている。なお、図５及び図６に示すように、平板部２２１の一部がくり抜かれていてもよい。
【００１８】
平板部２２１と同様に、平板部２２３には、Ｘ１側の端部からＸ２側に延びる切り欠きと、Ｙ１側の端部からＹ２側に延びる切り欠きとが形成され、これら２つの切り欠きが互いに繋がっている。また、Ｘ１側の端部からＸ２側に延びる切り欠きの、Ｙ１側の端部からＹ２側に延びる切り欠きとの連結部には、固定部２４２が設けられている。なお、平板部２２１と同様に、平板部２２３の一部がくり抜かれていてもよい。
【００１９】
アンロック用静電センサ２００は、図５、図８〜図１１に示すように、第１のアンロック用ワイヤ２５１と第２のアンロック用ワイヤ２５３とを含む。第１のアンロック用ワイヤ２５１は、中心導体２１と、中心導体２１を被覆する絶縁膜２２とを有する。第２のアンロック用ワイヤ２５３は、中心導体２３と、中心導体２３を被覆する絶縁膜２４とを有する。第１のアンロック用ワイヤ２５１は第１のワイヤの一例であり、第２のアンロック用ワイヤ２５３は第２のワイヤの一例である。
【００２０】
第１のアンロック用ワイヤ２５１の一方の端部はＸ１側で制御ユニット１５０に接続されており、第１のアンロック用ワイヤ２５１は、切り欠き２３１及び２３２を通じて平板部２２１と平板部２２２との間に入り込み、巻線部２１１に巻き付けられている。第１のアンロック用ワイヤ２５１の他方の端部２５２は開放端となってワイヤホルダ２１０の内側に配置されている。第１のアンロック用ワイヤ２５１は、ワイヤホルダ２１０から脱離しないように、固定部２４１にかしめられて固定されている。第１のアンロック用ワイヤ２５１の巻き付け回数は特に限定されないが、複数回であることが好ましく、例えば３回である。巻線部２１１は第１の巻線部の一例である。
【００２１】
第２のアンロック用ワイヤ２５３の一方の端部はＸ１側で制御ユニット１５０に接続されている。第２のアンロック用ワイヤ２５３は、平板部２２３のＸ１側の端部からＸ２側に延びる切り欠きと、Ｙ１側の端部からＹ２側に延びる切り欠きとを通じて平板部２２３と平板部２２２との間に入り込み、巻線部２１２に巻き付けられている。第２のアンロック用ワイヤ２５３の他方の端部２５４は開放端となってワイヤホルダ２１０の内側に配置されている。第２のアンロック用ワイヤ２５３は、ワイヤホルダ２１０から脱離しないように、固定部２４２にかしめられて固定されている。第２のアンロック用ワイヤ２５３の巻き付け回数は特に限定されないが、複数回であることが好ましく、例えば３回である。巻線部２１２は第２の巻線部の一例である。
【００２２】
このように、第１のアンロック用ワイヤ２５１がＺ１側、第２のアンロック用ワイヤ２５３がＺ２側となり、巻線部２１１と巻線部２１２とが並ぶ方向（Ｚ１−Ｚ２方向）から見たときに、第２のアンロック用ワイヤ２５３と第１のアンロック用ワイヤ２５１とが重なり合っている。従って、ドアハンドル１００の内側の面１２５に対し、第１のアンロック用ワイヤ２５１と第２のアンロック用ワイヤ２５３は、略垂直に並んでおり、第１のアンロック用ワイヤ２５１よりも、第２のアンロック用ワイヤ２５３が、検知面となる内側の面１２５側となるように配置されている。すなわち、ＸＹ面に略平行な内側の面１２５に対し、第１のアンロック用ワイヤ２５１と第２のアンロック用ワイヤ２５３は、Ｚ１−Ｚ２方向に並んでおり、第１のアンロック用ワイヤ２５１よりも、第２のアンロック用ワイヤ２５３がＺ２側となるように配置されている。
【００２３】
アンロック用静電センサ２００は、ワイヤホルダ２１０に第１のアンロック用ワイヤ２５１及び第２のアンロック用ワイヤ２５３が巻き付けられた状態で、インナーケース１２０の収納部１２１に収納されている。
【００２４】
（ロック用静電センサ３００）
ここで、ロック用静電センサ３００について説明する。図１２は、ロック用静電センサ３００に含まれるワイヤホルダを示す斜視図である。図１３は、ロック用静電センサ３００に含まれるロック用導線３５０を示す斜視図である。図１４は、ロック用静電センサ３００を示す断面図である。
【００２５】
ロック用静電センサ３００は、図５に示すように、２つのワイヤホルダ３１０Ａ及び３１０Ｂを含む。図１２及び図１４には、ワイヤホルダ３１０Ａを示すが、ワイヤホルダ３１０Ｂもワイヤホルダ３１０Ａと同一の構造を有する。ワイヤホルダ３１０Ａは、平面形状が、角が面取りされた略長方形の平板部３２１及び３２２を有する。平板部３２１及び３２２は、Ｚ１−Ｚ２方向からＹ１側、Ｙ２側に傾斜した方向で互いに重なり合っている。平板部３２１と平板部３２２との間に巻線部３１１が設けられている。平板部３２１及び３２２は巻線部３１１の両端部において、巻線部３１１から庇のように外方に迫り出している。ワイヤホルダ３１０Ａ及び３１０Ｂは第２のワイヤホルダの一例である。
【００２６】
平板部３２１には、互いに平行な２辺の間で、一方から他方に向けて延びる切り欠き３３１が形成されている。また、切り欠き３３１の平板部３２１の中央近傍には、固定部３４１が設けられている。
【００２７】
ロック用静電センサ３００は、図５、図１３、図１４に示すように、第１のロック用ワイヤ３５１と第２のロック用ワイヤ３５３とを含む。第１のロック用ワイヤ３５１は、中心導体３１と、中心導体３１を被覆する絶縁膜３２とを有する。第２のロック用ワイヤ３５３は、図示は省略するが、第１のロック用ワイヤ３５１と同様の断面構成を備える。第１のロック用ワイヤ３５１は第３のワイヤの一例であり、第２のロック用ワイヤ３５３は第４のワイヤの一例である。
【００２８】
第１のロック用ワイヤ３５１の一方の端部はＸ１側で制御ユニット１５０に接続されており、ワイヤホルダ３１０Ａにおいて、第１のロック用ワイヤ３５１は、切り欠き３３１を通じて平板部３２１と平板部３２２との間に入り込み、巻線部３１１に巻き付けられている。巻線部３１１に巻き付けられた第１のロック用ワイヤ３５１は、ワイヤホルダ３１０Ａの切り欠き３３１を通じてワイヤホルダ３１０Ａの外部に引き出されている。ワイヤホルダ３１０Ａの外部に引き出された第１のロック用ワイヤ３５１は、ワイヤホルダ３１０Ｂにおいて、切り欠き３３１を通じて平板部３２１と平板部３２２との間に入り込み、巻線部３１１に巻き付けられている。そして、第１のロック用ワイヤ３５１の他方の端部３５２は開放端となってワイヤホルダ３１０Ｂの内側に配置されている。ワイヤホルダ３１０Ａ及び３１０Ｂのいずれにおいても第１のロック用ワイヤ３５１は、ワイヤホルダ３１０Ａ、３１０Ｂから脱離しないように、固定部３４１にかしめられて固定されている。第１のロック用ワイヤ３５１の巻き付け回数は特に限定されないが、複数回であることが好ましく、例えば２回である。巻線部３１１は第３の巻線部の一例である。
【００２９】
第１のロック用ワイヤ３５１が巻き付けられたワイヤホルダ３１０Ａは支持部１２２Ａに支持され、第１のロック用ワイヤ３５１が巻き付けられたワイヤホルダ３１０Ｂは支持部１２２Ｂに支持される。このように、ロック用静電センサ３００は、インナーケース１２０の支持部１２２Ａ及び１２２Ｂに支持されている。
【００３０】
第１のロック用ワイヤ３５１は、図５及び図１３に示すように、ワイヤホルダ３１０Ａと制御ユニット１５０との間で、ワイヤホルダ２１０のアウターケース１１０側に位置する部分を有する。第２のロック用ワイヤ３５３は、第１のロック用ワイヤ３５１のワイヤホルダ２１０のアウターケース１１０側に位置する部分に隣接し、この部分と平行して制御ユニット１５０に接続される。
【００３１】
（制御ユニット１５０）
制御ユニット１５０は、例えば第１のアンロック用ワイヤ２５１及び第２のロック用ワイヤ３５３に接地電位を付与し、第２のアンロック用ワイヤ２５３を一方の電極とするキャパシタの静電容量と、第１のロック用ワイヤ３５１を一方の電極とするキャパシタの静電容量とを検知する。そして、これら静電容量の検知結果に応じて、ドア１０の施錠（ロック）及び開錠（アンロック）の制御を行う。制御ユニット１５０は制御部の一例である。
【００３２】
例えば、手がＺ２側からＺ１側に向かってドアハンドル１００に近づき、ドアハンドル１００のＺ２側の面１２５に接触する場合には、第２のアンロック用ワイヤ２５３を一方の電極とするキャパシタの静電容量が上昇する。従って、この静電容量が閾値に達したところで、ドア１０を開錠することができる。
【００３３】
手がＺ１側からＺ２側に向かってドアハンドル１００に近づく場合には、第２のアンロック用ワイヤ２５３とアウターケース１１０との間に第１のアンロック用ワイヤ２５１が介在しているため、静電容量の上昇が抑制される。従って、手がアウターケース１１０に近接しただけでは、ドア１０は開錠されない。
【００３４】
このように、ユーザがドアハンドル１００の内側に手を入れて、手をドアハンドル１００に近づけて、ドアハンドル１００の内側の面１２５に接触させなければ、ドア１０は開錠されず、操作者の意図しない動作による開錠を防止することができる。
【００３５】
また、手がＺ１側からＺ２側に向かってドアハンドル１００に近づき、ロック用静電センサ３００の近傍に接触する場合には、第１のロック用ワイヤ３５１を一方の電極とするキャパシタの静電容量が上昇する。従って、この静電容量が閾値に達したところで、ドア１０を施錠することができる。
【００３６】
手がロック用静電センサ３００の近傍ではなく、アンロック用静電センサ２００の近傍に近づく場合には、第１のロック用ワイヤ３５１とアウターケース１１０との間に第２のロック用ワイヤ３５３が介在しているため、静電容量の上昇が抑制される。従って、手がアンロック用静電センサ２００の近傍に近接したとしても、ドア１０は施錠されない。
【００３７】
このように、ユーザがドアハンドル１００の所定の位置に手を近づけなければ、ドア１０は施錠されず、操作者の意図しない動作による施錠を防止することができる。
【００３８】
このように、本実施形態によれば、ドア１０の施錠及び開錠を適切に制御することができる。
【００３９】
また、アンロック用静電センサ２００の製造にあたっては、アウターケース１１０やインナーケース１２０の形状が異なる場合でも、ワイヤホルダ２１０の形状をアウターケース１１０やインナーケース１２０に適したものとすればよい。すなわち、第２のアンロック用ワイヤ２５３及び第１のアンロック用ワイヤ２５１はワイヤホルダ２１０に巻くだけであるため、第２のアンロック用ワイヤ２５３及び第１のアンロック用ワイヤ２５１自体の構成を変更せずに、第２のアンロック用ワイヤ２５３及び第１のアンロック用ワイヤ２５１を種々の車両に用いることができる。例えば、ワイヤホルダ２１０が樹脂製であれば、その成形に用いる金型等を変更するだけで、アンロック用静電センサ２００を多様な車両に適用することができる。
【００４０】
同様に、ロック用静電センサ３００の製造にあたっては、アウターケース１１０やインナーケース１２０の形状が異なる場合でも、ワイヤホルダ３１０Ａ及び３１０Ｂの形状をアウターケース１１０やインナーケース１２０に適したものとすればよい。すなわち、第１のロック用ワイヤ３５１はワイヤホルダ３１０Ａ及び３１０Ｂに巻くだけであるため、第１のロック用ワイヤ３５１自体の構成を変更せずに、第１のロック用ワイヤ３５１を種々の車両に用いることができる。例えば、ワイヤホルダ３１０Ａが樹脂製であれば、その成形に用いる金型等を変更するだけで、ロック用静電センサ３００を多様な車両に適用することができる。
【００４１】
このように、本実施形態によれば、カスタム性を向上することができる。
【００４２】
なお、本実施形態では、ロック用静電センサ３００に２個のワイヤホルダ３１０Ａ及び３１０Ｂが含まれているが、ロック用静電センサ３００に含まれるワイヤホルダの数が１個でもよく、３個以上でもよい。
【００４３】
また、ロック用静電センサ３００に含まれるワイヤホルダに、第２のロック用ワイヤ３５３用の巻線部が設けられ、第２のロック用ワイヤ３５３がこの巻線部に巻き付けられていてもよい。
【００４４】
（第２の実施形態）
次に、第２の実施形態について説明する。第２の実施形態は、アンロック用静電センサ２００、ロック用静電センサ３００及び制御ユニット１５０の機能の点で第１の実施形態と相違している。以下、これら相違点について説明する。
【００４５】
（アンロック用静電センサ２００による検知）
第２の実施形態では、制御ユニット１５０より、第１のアンロック用ワイヤ２５１及び第２のアンロック用ワイヤ２５３の各々に電圧が印加され、第１のアンロック用ワイヤ２５１及び第２のアンロック用ワイヤ２５３における静電容量が測定される。
【００４６】
アンロック用静電センサ２００に操作体である手が近づいた場合、手の近づく方向により、第１のアンロック用ワイヤ２５１により検出される静電容量の値と、第２のアンロック用ワイヤ２５３により検出される静電容量の値とは異なる。
【００４７】
具体的に、図８〜図１０に基づき説明する。アンロック用静電センサ２００に、手がＺ２側からＺ１側に向かって近づく場合、手と第１のアンロック用ワイヤ２５１の距離よりも、手と第２のアンロック用ワイヤ２５３の距離は短くなる。従って、この場合には、第１のアンロック用ワイヤ２５１により検出される静電容量の値よりも、第２のアンロック用ワイヤ２５３により検出される静電容量の値は大きく、第２のアンロック用ワイヤ２５３により検出される静電容量の値から第１のアンロック用ワイヤ２５１により検出される静電容量の値を引いた値は正となる。
【００４８】
尚、値の正負で判断するのではなく、各々の値が所定値を超えているか否か、あるいは、正の方向の変化であるか、負の方向の変化であるかを基準として判断してもよい。各々の静電センサごとの出力の基準値のバラツキや変動を考慮して、所定値との比較、あるいは、変化の方向を基準として判断してもよい。後述するロック用静電センサの場合も同様である。
【００４９】
また、アンロック用静電センサ２００に、手がＺ１側からＺ２側に向かって近づく場合、手と第２のアンロック用ワイヤ２５３の距離よりも、手と第１のアンロック用ワイヤ２５１の距離は短くなる。従って、この場合には、第１のアンロック用ワイヤ２５１により検出される静電容量の値よりも、第２のアンロック用ワイヤ２５３により検出される静電容量の値は小さく、第２のアンロック用ワイヤ２５３により検出される静電容量の値から第１のアンロック用ワイヤ２５１により検出される静電容量の値を引いた値は負となる。
【００５０】
また、アンロック用静電センサ２００に、手がＹ１側から近づく場合やＹ２側から近づく場合には、手と第１のアンロック用ワイヤ２５１の距離と、手と第２のアンロック用ワイヤ２５３の距離とは略等しい。従って、この場合には、第１のアンロック用ワイヤ２５１により検出される静電容量の値と、第２のアンロック用ワイヤ２５３により検出される静電容量の値は略等しく、第２のアンロック用ワイヤ２５３により検出される静電容量の値から第１のアンロック用ワイヤ２５１により検出される静電容量の値を引いた値は略０となる。
【００５１】
上述したように、ドア１０のロックを解除する際には、手はＺ２側からＺ１側に向かってドアハンドル１００に近づき、ドアハンドル１００のＺ２側の面に接触する。従って、第２のアンロック用ワイヤ２５３により検出される静電容量の値から第１のアンロック用ワイヤ２５１により検出される静電容量の値を引いた値が正である場合には、手はドアハンドル１００のＺ２側に存在しているものと判断することができ、この場合にのみドアのロックを解除する。
【００５２】
また、第２のアンロック用ワイヤ２５３により検出される静電容量の値から第１のアンロック用ワイヤ２５１により検出される静電容量の値を引いた値が０である場合には、手はドアハンドル１００のＹ１側、または、Ｙ２側に存在しているものと判断することができ、この場合にはドアのロックを解除しない。
【００５３】
また、第２のアンロック用ワイヤ２５３により検出される静電容量の値から第１のアンロック用ワイヤ２５１により検出される静電容量の値を引いた値が負である場合には、手はドアハンドル１００のＺ１側に存在しているものと判断することができ、この場合にもドアのロックを解除しない。
【００５４】
このような制御を行うことにより、手がドアハンドル１００のＺ２側の面に接触するドアロックの解除を意図する操作の場合のみドアのロックが解除されるため、ドアのロックの解除を意図しない手の動きによりドアロックが解除されることを防ぐことができ、ドアロックの解除の誤検出を防ぐことができる。
【００５５】
図１５は、ドアハンドル１００に、手がＺ２側で接触した場合、Ｚ１側で接触した場合において、第１のアンロック用ワイヤ２５１により検出される静電容量、第２のアンロック用ワイヤ２５３により検出される静電容量、第２のアンロック用ワイヤ２５３により検出される静電容量から第１のアンロック用ワイヤ２５１により検出される静電容量を引いた値を示すものである。
【００５６】
図１５に示すように、手がドアハンドル１００のＺ２側で接触した場合には、第１のアンロック用ワイヤ２５１により検出される静電容量、及び、第２のアンロック用ワイヤ２５３により検出される静電容量はともに増加するが、第１のアンロック用ワイヤ２５１により検出される静電容量よりも、第２のアンロック用ワイヤ２５３により検出される静電容量が多く、第２のアンロック用ワイヤ２５３により検出される静電容量から第１のアンロック用ワイヤ２５１により検出される静電容量を引いた値は正になる。
【００５７】
また、手がドアハンドル１００のＺ１側で接触した場合にも、第１のアンロック用ワイヤ２５１により検出される静電容量、及び、第２のアンロック用ワイヤ２５３により検出される静電容量はともに増加するが、第１のアンロック用ワイヤ２５１により検出される静電容量よりも、第２のアンロック用ワイヤ２５３により検出される静電容量が小さく、第２のアンロック用ワイヤ２５３により検出される静電容量から第１のアンロック用ワイヤ２５１により検出される静電容量を引いた値は負になる。
【００５８】
尚、図１５に図示はしないが、ドアハンドル１００に、手がＹ１側やＹ２側で接触した場合には、第１のアンロック用ワイヤ２５１により検出される静電容量、及び、第２のアンロック用ワイヤ２５３により検出される静電容量はともに増加するが、第１のアンロック用ワイヤ２５１により検出される静電容量と、第２のアンロック用ワイヤ２５３により検出される静電容量は略等しく、第２のアンロック用ワイヤ２５３により検出される静電容量から第１のアンロック用ワイヤ２５１により検出される静電容量を引いた値は略０になる。
【００５９】
従って、制御ユニット１５０において、第２のアンロック用ワイヤ２５３により検出される静電容量から第１のアンロック用ワイヤ２５１により検出される静電容量を引いた値が正となった場合にのみ、ドアのロックを解除する制御を行うことにより、誤ってドアのロックが解除されることを防ぐことができる。
【００６０】
よって、本実施形態におけるドアハンドル１００は、手がドアハンドル１００のＺ２側で接触した場合には、ドアのロックは解除されるが、手がドアハンドル１００のＺ１側で接触した場合やＹ１側やＹ２側で接触した場合には、ドアのロックを解除することを意図した操作ではないものと判断され、ドアのロックは解除されない。
【００６１】
即ち、本実施形態におけるドアハンドル１００は、手がドアハンドル１００のＺ１側や、Ｙ２側、Ｙ１側で接触した場合には、ドアのロックを解除する操作であるとは検知されず、手がドアハンドル１００のＺ２側で接触した場合のみ、ドアのロックを解除する操作がなされたものと検知される。
【００６２】
（ロック用静電センサ３００による検知）
第２の実施形態では、制御ユニット１５０より、第１のロック用ワイヤ３５１及び第２のロック用ワイヤ３５３の各々に電圧が印加され、第１のロック用ワイヤ３５１及び第２のロック用ワイヤ３５３における静電容量が測定される。
【００６３】
本実施形態におけるロック用静電センサ３００では、第１のロック用ワイヤ３５１により検出される静電容量の値から第２のロック用ワイヤ３５３により検出される静電容量の値を引いた値に基づき手の操作の検知を行う。
【００６４】
本実施形態におけるロック用静電センサ３００では、第１のロック用ワイヤ３５１は、第２のロック用ワイヤ３５３よりも長く形成されているため、その分の静電容量が多い。よって、本実施形態においては、ロック用静電センサ３００に手が近づいていない状態における第１のロック用ワイヤ３５１により検出される静電容量の値から第２のロック用ワイヤ３５３により検出される静電容量の値を引いた値を初期値とし、この初期値に基づき手の操作の検知を行うものである。
【００６５】
本実施形態におけるロック用静電センサ３００においては、ワイヤホルダ３１０Ａ及び３１０Ｂが設けられた領域が検知領域として機能し、この検知領域には、第１のロック用ワイヤ３５１は形成されているが、第２のロック用ワイヤ３５３は形成されてはいない。よって、ロック用静電センサ３００の検知領域に手が近づいた場合には、第１のロック用ワイヤ３５１において検出される静電容量の値は増加するが、第２のロック用ワイヤ３５３において検出される静電容量の値は殆ど変化しない。従って、第１のロック用ワイヤ３５１により検出される静電容量の値から第２のロック用ワイヤ３５３により検出される静電容量の値を引いた値は、初期値よりも大きくなる。
【００６６】
これに対し、ワイヤホルダ３１０Ａと制御ユニット１５０との間の領域が非検知領域として機能し、この非検知領域には、第１のロック用ワイヤ３５１と第２のロック用ワイヤ３５３の双方が形成されている。よって、ロック用静電センサ３００の非検知領域に手が近づいた場合には、第１のロック用ワイヤ３５１において検出される静電容量も、第２のロック用ワイヤ３５３において検出される静電容量も増加するが、静電容量の増加量は略同じである。従って、第１のロック用ワイヤ３５１により検出される静電容量の値から第２のロック用ワイヤ３５３により検出される静電容量の値を引いた値は、初期値とほぼ同じである。
【００６７】
従って、初期値、または、初期値よりも若干高い値を基準値とし、第１のロック用ワイヤ３５１により検出される静電容量の値から第２のロック用ワイヤ３５３により検出される静電容量の値を引いた値が、基準値を超える場合には、手によるロック操作がなされたものと判断する。一方、第１のロック用ワイヤ３５１により検出される静電容量の値、及び、第２のロック用ワイヤ３５３により検出される静電容量の値が増加しても、第１のロック用ワイヤ３５１により検出される静電容量の値から第２のロック用ワイヤ３５３により検出される静電容量の値を引いた値が、基準値以下の場合には、手によるロック操作はなされなかったものと判断する。
【００６８】
これにより、ロック用静電センサ３００の検知領域に手が近づいた場合にのみ、手による操作を検知することができ、非検知領域に手が近づいた場合には、手による操作を検知しないようにすることができる。このようにして、手の操作によるドアロックの誤検出を防ぐことができる。
【００６９】
図１６は、ドアハンドル１００に、手がロック用静電センサ３００の非検知領域のＺ２側に接触した場合、非検知領域のＺ１側に接触した場合、ロック用静電センサ３００の検知領域に接近した場合において、第１のロック用ワイヤ３５１により検出される静電容量、第２のロック用ワイヤ３５３により検出される静電容量、第１のロック用ワイヤ３５１により検出される静電容量から第２のロック用ワイヤ３５３により検出される静電容量を引いた値を示す。
【００７０】
図１６に示すように、ドアハンドル１００に、手がロック用静電センサ３００の非検知領域のＺ１側に接触した場合には、第１のロック用ワイヤ３５１により検出される静電容量、及び、第２のロック用ワイヤ３５３により検出される静電容量はともに増加するが、第１のロック用ワイヤ３５１により検出される静電容量と、第２のロック用ワイヤ３５３により検出される静電容量は略等しく、第１のロック用ワイヤ３５１により検出される静電容量から第２のロック用ワイヤ３５３により検出される静電容量を引いた値は略０になる。
【００７１】
また、ドアハンドル１００に、手がロック用静電センサ３００の非検知領域のＺ２側に接触した場合には、第１のロック用ワイヤ３５１により検出される静電容量、及び、第２のロック用ワイヤ３５３により検出される静電容量はともに増加するが、第１のロック用ワイヤ３５１により検出される静電容量と、第２のロック用ワイヤ３５３により検出される静電容量は略等しく、第１のロック用ワイヤ３５１により検出される静電容量から第２のロック用ワイヤ３５３により検出される静電容量を引いた値は略０になる。
【００７２】
これに対し、ドアハンドル１００に、手がロック用静電センサ３００の検知領域に接近した場合には、第１のロック用ワイヤ３５１により検出される静電容量、及び、第２のロック用ワイヤ３５３により検出される静電容量はともに増加するが、第１のロック用ワイヤ３５１により検出される静電容量は、第２のロック用ワイヤ３５３により検出される静電容量よりも多く、第１のロック用ワイヤ３５１により検出される静電容量から第２のロック用ワイヤ３５３により検出される静電容量を引いた値は正になる。
【００７３】
従って、制御ユニット１５０において、第１のロック用ワイヤ３５１により検出される静電容量から第２のロック用ワイヤ３５３により検出される静電容量を引いた値が正となった場合にのみ、ドアをロックする制御を行うことにより、誤ってドアがロックされてしまうことを防ぐことができる。
【００７４】
よって、本実施形態におけるドアハンドル１００は、手がロック用静電センサ３００の検知領域の近傍に接触した場合には、ドアがロックされ、手がロック用静電センサ３００の非検知領域の近傍に接触した場合には、ドアのロックを意図する操作ではないものと判断され、ドアはロックされない。
【００７５】
本実施形態によっても、第１の実施形態と同様に、カスタム性を向上することができる。また、手の接近箇所及び接近方向に応じたドアの開錠及び施錠をより高精度で行うことができる。
【符号の説明】
【００７６】
１０  ドア
１００  ドアハンドル
１１０  アウターケース
１２０  インナーケース
１５０  制御ユニット
２００  アンロック用静電センサ
２１０、３１０Ａ、３１０Ｂ  ワイヤホルダ
２１１、２１２、３１１  巻線部
２２１、２２２、２２３、３２１、３２２  平板部
２４１、２４２  固定部
２５１  第１のアンロック用ワイヤ
２５３  第２のアンロック用ワイヤ
３００  ロック用静電センサ
３５１  第１のロック用ワイヤ
３５３  第２のロック用ワイヤ
【図１】
2020100983.tif 000003
【図２】
2020100983.tif 000004
【図３】
2020100983.tif 000005
【図４】
2020100983.tif 000006
【図５】
2020100983.tif 000007
【図６】
2020100983.tif 000008
【図７】
2020100983.tif 000009
【図８】
2020100983.tif 000010
【図９】
2020100983.tif 000011
【図１０】
2020100983.tif 000012
【図１１】
2020100983.tif 000013
【図１２】
2020100983.tif 000014
【図１３】
2020100983.tif 000015
【図１４】
2020100983.tif 000016
【図１５】
2020100983.tif 000017
【図１６】
2020100983.tif 000018